(57)【要約】  パネル又はガラス板用の空洞（２９）及び木材と接着剤の複合粒子で１層又は３層に形成された材料を提供することが必要な場合に特に適する。これらの材料は、型の上に配置された作業台の上で放出や移動の特定の順序に応じて動くことができる独立した計量装置に受け入れられる。これは、扉の寸法の開口部（１２、３３）を有する固定周辺枠（１０、３２）で規定され、その中では、第１枠組（１１、３４）及び該第１枠組内で動くことができる第２枠組（１４、３５）が僅かに摺動し、空洞は、パネル又はガラス板が存在する場合に空洞（１５、１６、２９）を形成する上昇位置を占めるために、個々のシリンダ（３９、４０、４１）の作用で独立に動き得る一連のパッド又はブロック（２１、２２、３６、３７、３８）で占められる。固定枠（１０、３２）は、特大扉生産用の可動内側部分（７８）を持っている。
2009537712.tif 000002
【特許請求の範囲】
【請求項１】
特にパネル又はガラス板用に空洞を設ける場合に、厚みがあり大粒子から成る内層に対して外層が小粒子から成り密度が大きいサンドイッチの異なる層にある木材と接着剤の複合粒子から形成される材料から成り、この材料が型を充填する個々の成形機から供給され、その後プレス機の加熱板間で圧縮される、扉の芯を生産するための型であって、
数個の扉芯を同時に得て、その後これらを切断して分離するために、扉芯の外形又はその複数の面に従う固定周辺枠（１０、３２）であって、高さが圧縮前の扉芯の厚みよりも大である前記周辺枠（１０、３２）、
垂直移動可能であり、流体駆動され、その上に第１矩形枠組（１１、３４）が一体化され、前記周辺枠（１０、３２）の空洞寸法に合わされ、プランジャのようにその内部で摺動可能となっている下部水平台（２３、６４）、
その表面が同時に得る扉芯と同数の開口部（１２、３９）を含み、寸法が小さく、これらに関して同心位置にあり、型（９）に充填する非圧縮厚さで成形機（１、２）より生成物を受け取る下部位置から、流体駆動で生成物を圧縮し標準的扉に対応する厚さとする上昇位置まで移動される第１矩形枠組（１１、３４）、
前記第１矩形枠組（１１、３４）の各開口部（１２、３９）内で伸縮自在に変位でき、パネル又はガラス板用の空洞が存在する場合にそれぞれの空洞（１５、１６）を有する扉芯の残存面の形状であり、同様に流体シリンダで駆動され、前記第１矩形枠組（１１、３４）と高さが同一である、１以上の独立した第２矩形枠組（１４、３５）、
垂直移動可能であり、プレス機（６）の加熱板を構成し、前記固定周辺枠（１０、３２）と接触するときに型（９）を閉じるようにする、上部板（７、４７）
で規定されることを特徴とする、扉の芯を生産するための型。
【請求項２】
前記第１（１１、３４）矩形枠組及び伸縮自在の前記第２（１４、３５）矩形枠組又は前記第２（１４、３５）枠組が最終加圧時にプレス機（６）の下部加熱板を構成することを特徴とする、請求項１記載の扉の芯を生産するための型。
【請求項３】
扉芯のパネル又はガラス板用の１以上の空洞（１５、１６）が前記固定周辺枠（１０、３２）と同一高さで同一面位置に固定されている各ブロック又はパッド（２１、２２、３６、３７、３８）により形成され、前記第２（１４、１５）矩形枠組がその壁内で伸縮自在に案内されることを特徴とする、請求項１記載の扉の芯を生産するための型。
【請求項４】
前記成形機（１、２）から供給される生成物は計量と秤量の双方又は一方が適切に行われて柱状の矩形枠組にそれぞれ受け入れられ、この枠組は、基部が型（９）の表面を覆い、分離した計量装置（３、４）に属し、この計量装置は、歯車又は同様物を有し、作業台（５）上に位置し、互いに一体化し、それぞれの生成物充填のために前記成形機（１、２）の下で直線的に移動可能であり、その移動時には所定の運動順序に従って型（９）と上部加熱板（７、４７）の間に位置し得るという特性を有することを特徴とする、請求項１記載の扉の芯を生産するための型。
【請求項５】
更に、プレス機（６）の上部加熱板（７、４７）と、複合物及び接着剤の粒子を載置する下部加熱板を実現する伸縮式矩形枠組（１１、１４、３４、３５）とは、ユリアホルムアルデヒド接着剤融解用加熱システムと共に、熱風又は蒸気用の幾つかの出力ノズルと連携することを特徴とする、請求項１記載の扉の芯を生産するための型。
【請求項６】
周辺枠（１０、３２）とパネル又はガラス板用の空洞（１５、１６）の位置にあるブロック（２１、２２、３６、３７、３８）とは、プレス機（６）の加熱板（７、４７、１１、１４、３４、３５）と同様な加熱システムと連携することを特徴とする、請求項１記載の扉の芯を生産するための型。
【請求項７】
矩形枠（３２）又は周囲壁は、製造する扉芯に対応する寸法の内側空洞若しくは開口部（３３）又は同一加圧局面で種々のユニットを同時に得るための種々の独立した空洞若しくは開口部（３３）を持ち、第１矩形枠組（３４）は、その各々で摺動し、その有効面がより多くの生成物を受け入れる区域を規定しており、第２矩形枠組（３５）は、第１のものの内部で可動であり、第２矩形枠組（３５）内部の摺動ブロックは、同一又は異なる大きさの部分又はパッド（３６、３７、３８）の組で形成され、独立して動作可能であることを特徴とする、請求項１記載の扉の芯を生産するための型。
【請求項８】
型の矩形枠（３２）又は周辺壁がレール上を摺動する車輪（７５）を持つ周辺構造体（４９）にあることを特徴とする、請求項７記載の扉の芯を生産するための型。
【請求項９】
第１矩形枠組（３４）が高さ調節可能な可動枠組（５２）に取り付けられ、上部押出台（６４）を通る一組の垂直棒（５０）上で支持され、幾つかの下部金属片（６２）上方に中間支持柱（６３）を介して作用する流体シリンダ（６１）で駆動されることを特徴とする、請求項７記載の扉の芯を生産するための型。
【請求項１０】
第２矩形枠組（３５）が、同様に高さ調節可能な可動枠組（５２）に取り付けられ、上部押出台（６４）を通り、充填高さの差を設けるために第１矩形枠組（３４）を支持する垂直棒（５０）より長い他の組の垂直棒（５１）上で支持されることを特徴とする、請求項７及び９記載の扉の芯を生産するための型。
【請求項１１】
前記充填高さの差が扉芯の周辺区域における加圧密度を変更するために調整可能であることを特徴とする、請求項１０記載の扉の芯を生産するための型。
【請求項１２】
前記調整が垂直棒（５０、５１）基部に設けられる調整部材によって行われることを特徴とする、請求項１１記載の扉の芯を生産するための型。
【請求項１３】
第２矩形枠組（３５）内で摺動するブロック部分が独立パッド（３６、３７、３８）式の横方向部分であり、その各々が同様に高さ調節可能な可動枠組（５２）に取り付けられ前記上部押出台（６４）を通る垂直棒（７１、７２）で支持され、これは第２矩形枠組（３５）を支持する垂直棒（５１）と同じ長さであり、後者と同一高さで同一面であるようにし、各横方向部分又は独立パッド（３６、３７、３８）は対応する独立動作垂直シリンダ（３９、４０、４１）で補助され、その筐体は共通の支持体となる棒（４２）の上にあり、その棒は上部押出台（６４）を横断し、個々の独立パッド（３６、３７、３８）の基部に固定され、これらの棒（４２）は型の固定基部の支持柱（６９）で支持され、型の口部と同一面になるように選択された独立パッド（３６、３７、３８）の上昇を保持することができ、充填と加圧の局面の間に維持され、所定の分布と大きさでパネル又はガラス板用の空洞が存在する場合に単一の空洞（２９）又は複数の空洞（２９）を形成することを特徴とする、請求項７、９及び１０記載の扉の芯を生産するための型。
【請求項１４】
三層で受け入れられた生成物の加圧は、下部金属片（６２）に結合した上昇シリンダ（６１）の作用で行われ、上部押出台（６４）には幾つかの同一高さの押出しパッド（６５、６６、７３）が存在し、第１（３４）及び第２（３５）枠組並びに独立パッド（３６、３７、３８）に面する位置に配置されることを特徴とする、請求項７記載の扉の芯を生産するための型。
【請求項１５】
全ての垂直棒（５０、５１、７１、７２）が出る高さ調整可能な可動枠組（５２）がその下に幾つかの車輪（５３）を含み、これは変位可能な枠組（５５）に設けられる傾斜部（５４）上にあり、更にこれは、型の固定枠（３２）用支持具の周辺構造体（４９）の下部に固定された支持具（５７）に取り付けた幾つかの車輪（５６）上に支持され、その桁は前記移動可能な枠組（５５）を一方又は他方へ摺動させるために原動機（６０）で駆動される個々のピニオン（５８）に結合されたラック部（５９）を固定して持ち、これによって生成物の受け入れと圧縮のための行程を変更することを特徴とする、請求項９、１０及び１３記載の扉の芯を生産するための型。
【請求項１６】
第１（３４）及び第２（３５）の矩形枠組より高い矩形枠組（３２）が各独立ユニットの周辺の外側固定部（７７）と、同様に周辺の他の可動内側部（７８）から成り、これは２つの位置を占めることができ、上側の位置は標準的扉芯の製造用に周辺外側部（７７）と同一面を維持し、他の下側の位置は長さと幅の寸法が大きい扉芯の製造用であり、このとき第１矩形枠組（３４）と同じだけ引き下げられて、より多量の加圧材料を受け入れるようにすることを特徴とする、請求項１記載の扉の芯を生産するための型。
【請求項１７】
各独立ユニットの周辺外側固定部（７７）が、幅が三分の一だけ大きい扉芯を製造し、より大量の加圧材料を受け入れるために可動内側部（７８）より大きいか又は等しい量だけ下降することができる、分離した可動金属片（７９）で覆われた縦方向壁を持つことを特徴とする、請求項１６記載の扉の芯を生産するための型。
【請求項１８】
各々の可動金属片（７９）が、更に全ユニット共通枠組の交差部材に支持され、基板（４２）に固定された第１流体シリンダ（８１）で支援されている２つの垂直棒（８０）上にあることを特徴とする、請求項１７記載の扉の芯を生産するための型。
【請求項１９】
各独立ユニットの可動内側部（７８）が、更に全ユニット共通枠組の交差部材に支持され、基板（４２）に固定された第２流体シリンダ（８３）で支援されている他の垂直棒（８２）上にあることを特徴とする、請求項１６ないし１８記載の扉の芯を生産するための型。
【請求項２０】
金属片（７９）を支持する垂直棒（８０）と可動内側部（７８）のものとが、プレス機の流体シリンダ（６１）で作動され、第１又は内側枠組（３４）と第２又は外側枠組（３５）の押出しパッド（６５、６６）を載置する押出台（６４）を通り、更に、矩形枠（３２）の金属片（７９）と可動内側部（７８）の高さがより大きいことに対応して高さが低い押出しパッド（６５’、６６’）が存在し、生成物受け入れ用の低い位置にあるときに押圧されることを特徴とする、請求項１６ないし１９記載の扉の芯を生産するための型。
【請求項２１】
各々のユニットの所望位置にあるパネル又はガラス板用の空洞を形成するための等しい又は異なる大きさのパッド（３６、３７、３８）の一部が押出台（６４）を越え、基板（４２）上の上昇シリンダ（３９）に結合されたユニットの相違とは無関係に交差部材（８６）上にある垂直棒（７１）の対の上にあることを特徴とする、請求項１６記載の扉の芯を生産するための型。
【請求項２２】
外側部（７７）又は矩形枠組（３４）より寸法の大きなもの又は型の周辺壁が、絶縁薄板（１０４）により型の矩形枠組（３４）に対して周辺支持壁（４９）から絶縁されている閉じた枠組を形成することを特徴とする、請求項１６記載の扉の芯を生産するための型。
【請求項２３】
生成物が蓄積される全可動要素が加熱流体流通路を含み、その導管（１００、１０４）が押出台（６４）に設けられた開口部（１０１）を楽に通ることを特徴とする、請求項１６記載の扉の芯を生産するための型。
【請求項２４】
プレス機のシリンダ（６１）の上昇は、作業工程よりも大きいために、プレス機の下部シリンダ（６１）に結合された幾つかの下部歯止めによって型を上昇させ、これにより、レール（７４）上の着座状態から取り外し、プレス機から取り出して保守又は修理を行うために幾つかの車輪を取り付けることを可能にすることを特徴とする、請求項１６記載の扉の芯を生産するための型。
【請求項２５】
サンドイッチの２種の材料を有する計量ホッパ（８８、８９）が摺動枠組（９０）に載置され、外側ないし側部のホッパ（８９）がサンドイッチの外層用の種類の生成物を含み、その中間層用の生成物が側部のもの（８９）より大きい中央ホッパ（８８）内に位置し、前記生成物が羽根を有する回転ローラ（９３）により放出され、これらのローラ（９３）が計量ホッパ（８８、８９）の下部に位置し、前記摺動枠組（９０）の初めの部分と後部には幾つかの清掃ローラ（９７、９８）が存在することを特徴とする、請求項１６記載の扉の芯を生産するための型。
【請求項２６】
前記清掃ローラ（９７、９８）が二重であり、内側のものが注がれる生成物層を掃引し平にするため斜めに配置されて短く、外側ローラ（９７）がプレス機の上部加熱板（４７）と周辺で接触する台座ないし表面を清掃するために長いことを特徴とする、請求項２５記載の扉の芯を生産するための型。
【請求項２７】
前記中央計量ホッパ（８８）には３個の回転ローラ（９３）が存在し、これは、その上にあり、均一に分配するために長さ方向中央上部の装置に向かって動く側部コンベアベルト（９４）で運搬されるサンドイッチ中央層生成物を分配する１つの中央のものと２つの外部のものであることを特徴とする、請求項２５記載の扉の芯を生産するための型。
【請求項２８】
均一分配用の前記上部の装置は、横に動作する２つの羽根コンベア（９５）を含むことを特徴とする、請求項２７記載の扉の芯を生産するための型。
【発明の詳細な説明】
【技術分野】
【０００１】
発明の対象
本明細書の発明の名称に記載しているように、本発明は、扉の芯（almas）を生産するための型（molde）に関し、特に既知の形状、数及び配置のパネル又はガラス板用の空洞を扉に設ける必要がある場合に、扉製造システムにとって有利な注目すべき特性を有するものである。
【０００２】
扉の芯は、成形機（formadoras）から来る木材と接着剤の複合粒子マットを加熱板付き門形プレス機で加圧して形成され、扉の厚さが最終標準厚さとなるようにされる。そして、縁取りされ、しわ伸ばし工程を経て、扉の可視面を規定する上質木材の層が接着される。
【０００３】
扉の芯を形成する木材粒子と接着剤の複合体は、均一ではなく、通常はサンドイッチ状構造を有し、中央層は２つの外層より粒子の大きさが大きく、密度が小さく、かつ厚みが大きいが、２つの外層は中央層より粒子が細かく、密度が大きく、かつ厚みが小さいように構成されている。使用材料がＤＭであれば、単一の成形機が用いられる。
【発明の概要】
【発明が解決しようとする課題】
【０００４】
本発明の目的は、様々な標準厚さを有する扉の芯を自動的に製造できるようにすることであり、同時にパネル又はガラス板用空洞の形状、数及び配置を変更できるようにすることである。
【０００５】
本発明の他の目的は、型の外周が木材と接着剤の複合体を他よりも大量に受け入れるようにすることであり、これは、圧縮ないし加圧時に周囲区域の密度を大きくすることを可能にし、周辺区域、特に蝶番と錠前組立品双方の金具を付けなければならない縦方向ないし垂直方向の端縁を剛性とするために通常追加される厚い接着縁をその後の操作で取り付ける必要がないということも意味する。これとは逆に、この成形システムにより得られる扉の芯の周辺区域が極めて緻密であるため、美的観点で上質の木材より成る可視材料の品質を均等化し、扉が薄板状中実木材から成るように見せるためには、単に縁取りを行うだけでよい。構造がサンドイッチ構造である場合には、より多量の中央層材料が用いられる。
【０００６】
発明の背景
今日では複合板は成形機による連続工程で製造され、成形機は高密度小径木材粒子に接着剤と他の活性生成物を混合した生成物の第１層をベルトコンベアの帯上に注ぐ。この層に厚みが大きく低密度小径粒子から成る第２層が加えられ、最後に第１層と同様の他の層が他の成形機で注がれて加えられ、サンドイッチ配置を生成する。この木材と接着剤の粒子のマットは、単一径の粒子から成り、一様な組成であり、ＤＭのような公知の材料を含む。
【０００７】
扉に必要な厚さまで板を加圧して形成されるマットの構造と組成とは別に、コンベアのベルトに注がれる最初の厚さは９０〜１７０ｍｍのオーダーであり、一旦加熱板プレス機で加圧され、標準的な扉に対する２５〜４０ｍｍのオーダーの厚さが得られる。
【０００８】
ここで、得られた板が大きいことによる移動と輸送の困難性を緩和するために、扉製造者により与えられた寸法にしたがって板製造者が切断を行う。
【０００９】
扉製造者は、所望寸法の扉を生産するために板材を切断して機械加工し、パネルやガラス板をはめる空洞に相当する部分を取り除く。
【００１０】
発明特許Ｐ−２００５０１８６９号は、扉の複合板材の製造システムを請求するものであり、パネル又はガラス板用の空洞が同時形成され、一定密度であるかサンドイッチ型構造で密度の異なる３層から成るかに応じて１個又は３個の成形機から来るマットは、好ましくは形成する扉の長さに対応した幅を有し、後者の多数の幅に対応した長さを有し、パネル又はガラス板をはめる下端又は空洞に対応し等しい大きさの開口部をトレーの底に有するという特徴のあるトレー又は型に入れられる。
【００１１】
型又はトレーは、各開口部の輪郭に伸縮自在で木材と接着剤の複合粒子のマットが押圧前の初期高さで入るような引き込み式の特徴を有する型枠を含み、押圧や圧縮が通常行われる門形プレス機の２つの加熱板の圧縮後に残る厚さである限りは、厚さの差を吸収することができる。
【００１２】
マットないし接着剤混合粒子の空洞を充填していた部分は、開口部から落ち、再使用のために下部ベルトで収集され、成形機の対応ホッパに直接送られる。
【００１３】
前掲発明特許によれば、この設備においては、トレー用に昇降機給送装置が存在し、コンベアのベルト上に進み、このトレー上に生成物を放出する成形機の下へ連続的に移動する。そして、これは常温予備圧縮ポストに進み、マットの厚さは約半分にされ、空気が追い出される。トレーは、他の昇降機により加熱板プレス機の間隙に送られ、その後、他の昇降機で収集され、型取り外しポストへ導かれる。
【００１４】
この原発明特許に対する第１追加特許では、加圧工程における実際のトレー構造と案内システムが改善され、簡単化されている。引き込み式型枠は単純な三角片の形状で具体化され、原発明特許に存在していた弾性偏向薄板は、加圧前後の複合粒子接着剤マットの厚さを完全に吸収する。
【００１５】
この原発明特許に対する第２追加特許では、トレー前端に支持具を用いることから成る幾つかの改良がされ、この支持具は、プレス機の多重装填排出機用運搬チェーン内の歯でリンクされる鈎の延長部をプレス機の加熱板の多様なレベルに持っている。また、トレーの後方支持具には後方に隣接するトレーの前部に対応する鈎がリンクする突出パッドを有する他の支持具が適合されている。プレス機は、既に加圧されたトレーが排出されると同時に新しいトレーが装填される。トレーの装填機が存在し、予備プレス機から一度に１つずつトレーを受け取りトレーを受け取ると装填が完了するまで上昇する。装填機と放出機の双方は、プレス機の各レベルでトレーが乗る運搬チェーン対を含み、それぞれ装填機トレーとプレス機のものとの結合を生じ、放出機とプレス機のものとを結合するために、流体動作でローラトラック上を摺動する橋かけ構造で支持される。
【課題を解決するための手段】
【００１６】
発明の説明
一般的な言い方をすると、本発明の対象を構成する扉の芯を生産するための型は、特にパネル又はガラス板用の空洞を持つ必要がある扉の芯の生産に適用され、これらの空洞は、所定の寸法、数及び位置を有する。その特徴は、製造に際しどのような材料も浪費されず、又は少なくとも再使用のために成形機ホッパに向ける必要がないことであるが、これは、この扉芯が最終の積層なしに完全に終了されて仕上げられ、何らの機械加工を要しないからである。形成するサンドイッチの種々の層を、又はＤＭ材料を使用する場合には単一の層を、加圧も行う型に受け入れるとき、扉芯の周辺部は、また、他の部分よりも大量の複合体を中間層用に受け取り、この結果、圧縮又は加圧がされると更に高密度にされ、これは、周辺区域（とりわけ、蝶番と鍵組立品の双方の取付具を受ける箇所である縦方向ないし垂直方向の境界部）に剛性を付与するために従来付加されていた厚い縁部の所定位置接着操作を後に実行する必要もないことを意味する。必要なことは、美的観点で上質の木材より成る可視材料の品質を均等化するために縁取りを実行し、扉が中実木材で形成されているように見せることである。
【００１７】
本発明によれば、製造ラインは、先に説明したように、扉芯のサンドイッチ又は構造体を形成するために必要な２つの密度及び寸法の粒子で木材粒子及び接着剤の複合体を保持する２つの成形機を含んでいる。
【００１８】
成形機は、生成物を歯車形式ないし同様形式の分離した計量装置に放出し、ここで、所定の高さと配置で材料が受け入れられ、秤量と計量の双方又は一方が行われる。
【００１９】
計量装置は生成物を入れる分離した容器を含み、生成物で満たすために作業台上を直線的に動くことができ、以下で詳細に説明するように、所期の目的を達成するために型の底部の下降動作と協働した所定順序の前後進で、常時固定位置にある型の上に位置するまで進むことができる。
【００２０】
型は、同一の成形局面で数個の扉芯を得た後、切断により分離するために、扉芯の輪郭又はその多数の面に従う固定周辺枠から形成される。周辺枠の高さは、圧縮前の扉芯厚さより大きく、換言すれば圧縮前のマットの高さを超える。
【００２１】
前記周辺枠の下部に位置し幾つかの流体シリンダで垂直移動可能な水平台上には、これと一体化し、周辺枠の空洞の寸法に合致し、プランジャ風にその内部で摺動できる第１矩形枠組があり、その表面は型で生産され同時に得られる扉芯の数と同数の開口部を含んでいる。これらの開口部の寸法は、当然扉芯の寸法より小さいが、それらの境界は後者のものに対して奥まっており、これらの開口部はそれらの矩形輪郭に対して同心位置にあり、型充填用の非圧縮厚さで成形機より生成物を受け入れる下部位置から生成物圧縮用の他の上昇位置まで摺動し、プレス機が流体で作動されたときに標準的扉のものに対応する厚さとなるようにする。
【００２２】
相互に独立な１以上の第２矩形枠組が存在するが、これらは第１矩形枠組の各開口部内で伸縮式に移動可能であり、パネル又はガラス板がある場合の個々の空洞を含む残りの扉芯形状を与え、また、これらの第２矩形枠組は流体シリンダで作動され、第１矩形枠組と同一高さを持っている。
【００２３】
最後に、加圧用加熱板を構成する垂直移動可能な上部板が存在し、固定周辺枠と接触して型を閉じるために流体的に作動される。
【００２４】
扉芯がパネル又はガラス板用の空洞を含む場合、これらが占める表面は、固定周辺枠と同一面位置に固定され、これと同一高さで、第２矩形枠組をその壁内で伸縮式に案内する個々のブロックで満たされる。
【００２５】
第１矩形枠組又は１若しくは複数の第２矩形枠組は、流体的に作動され、それ自体で加圧用下部加熱板を構成し、この加圧は、マットが圧縮されるとき上部と下部の２つの加熱板の間で加圧されるので伝統的なものということができる。
【００２６】
この下部板は、生成物を受け入れる表面形状を持ち、上述のように、第１のものの複合表面に応じ、型から外された後に切断される１以上の扉芯を形成する大きさ又は幾何学的配置を有する。
【００２７】
扉がパネル又はガラス板用の空洞を含む場合のような本発明の特定の応用事例では、１以上の第２矩形枠組が前記空洞を含み、これらは垂直に可動であるので、その表面は前述のそれぞれの固定ブロックにより常時覆われていなければならない。扉が緻密である場合、換言すればパネル又はガラス板用の空洞を有しない場合、第２枠組は中実であり、その全表面は複合体と接着剤の層を受け入れる。
【００２８】
矩形枠組が全て移動可能であるということにより、これらは異なる行程で動作することができる。第１枠組は、１以上の第２矩形枠組に対して段差があり、より多量の生成物を受け入れるためにより大きく下降し、その結果、プレス機で圧縮するとき前述のように周辺区域での高密度を達成する。
【００２９】
プレス機の上部加熱板とその上に複合木材粒子及び接着剤が載り下部加熱板になる伸縮式枠組とは、木材粒子に混合されるユリアホルムアルデヒド接着剤を溶解するための伝統的な加熱システムを含むとともに、更に熱風又は蒸気用のノズルを幾つか備えており、サンドイッチの質を改善し、またうまく硬化時間を短縮する。同じ目的で、周辺枠組とパネルやガラス板用の空洞の位置にある固定ブロックもプレス機の加熱板と同様の加熱システムを内蔵する。
【００３０】
２つの計量装置によってそれぞれの生成物が先に充填されている計量トレーの出入りを可能とするため、サンドイッチを構成する種々の生成物を型に充填する全行程の間上昇位置に留まる上部加熱板は、最後に型の上部を閉鎖するために下降する。更に以下で図面に関連して見るように、生成物の充填は３つの局面で行われ、サンドイッチの３層が形成されるようにする。下部水平台が上昇して第１と第２の矩形伸縮式枠組が上昇するのは型の上部が閉鎖される時点からであり、加圧実行のために進みながら相互に同一面となるよう段差が減少するという特徴を有し、厚さが一様であるが１回の加圧で得られる各扉の周辺部の密度がより大きいサンドイッチを得るために行程終了までこの動作を続け、その後、板は鋸で切断され、異なる扉芯が相互に分離される。
【００３１】
型の除去は、硬化時間後に上部加熱板を上昇させ、その後、加圧された板が型から出るまで下部台を進め続けることにより容易に実行される。
【００３２】
上述のように、種々の型式やモデルの扉の製造における自動化及び多様化という目的を達成するために、この構造において幾つかの改良が提供されてきた。
【００３３】
この型は、完全に仕上げられた数個のユニットを同時に生産するため、製造する扉芯の輪郭を有する種々の空洞ないし開口を保有し複合型を規定する矩形枠又は周辺壁を持つが、これは、１ユニットを基礎としてそれらを生産する単純な型とすることもできる。しかしながら、先の配置は、遙かに有利である。
【００３４】
これらの独立した空洞又は開口の各々で垂直に摺動するのが、扉の輪郭を有する第１矩形枠組である。その内部で伸縮式に移動できるのが、第２矩形枠組であり、更にその内部空洞は、独立して動くことができ同一の又は異なる大きさである一連のブロックで占められる。中実扉芯を得るために、これらのブロックは同一面上にある第２矩形枠組と同時に動くことができる。これらの内の任意のものがマットの充填及び圧縮工程の間に上昇位置に保たれると、パネル又はガラス板用の空洞が形成される。
【００３５】
第１矩形枠組の有効面は、最大量の生成物を受け入れる区域を規定し、第２矩形枠組のそれは、上昇していない摺動ブロック又はパッドへ延び、また木材と接着剤の複合粒子のマットが堆積される、扉の残余の区域を規定する。
【００３６】
型の矩形枠組又は周辺壁は、プレス機内の作業箇所から型全体を引き出し可能とするために地面設置の一対のレール上での運動を容易化する車輪を含む頑丈な周辺構造体上にあり、その後、修理又は保守を容易に行うことができる。原位置に戻ると、組立品は、レール上に完全に取り付けられるよう車輪から外すために、僅かに持ち上げられる。
【００３７】
第１矩形枠組及び第２矩形枠組の双方は、パネル又はガラス板用の空洞を形成する独立した中間パッドと共に、後に分かるように加圧実行用流体シリンダで作動される上部水平押出台を通る垂直棒で支持される。これらの棒の下端は、高さ調節できる可動枠組上にあり、充填高さを変更することができるが、周辺構造体の下部に結合された車輪に支持され水平方向に変位可能な幾つかの枠組の楔で摺動する他の車輪を下方に持つためであり、これは原動機とラックアンドピニオン装置で起こされる運動である。
【００３８】
第１矩形枠組の支持棒の長さが第２矩形枠組のそれよりも短く、後者がパッド用支持棒に等しいのは、それらが後者の矩形枠組と同一面となっているためである。矩形枠組間のこの段差により、扉周辺区域の充填厚さがより大きくされる。この位置の差は、垂直棒支持基部における詰め具の位置づけ、それらの数の増減により容易に変えることができる。
【００３９】
パネル又はガラス板用の空洞を形成するよう対応するパッドを上昇可能とするために、それら全ては、更に、各扉の面に関して中央の長さ方向金属片上にある個々の流体シリンダの棒上に載っている。流体シリンダのこれらの支持棒は、地面に固定された水平棒上にある個々の柱に設けられる。
【００４０】
これらのシリンダの棒は、パネル又はガラス板用の１以上の空洞の型式、形状及び分布に応じて上昇又は下降させるために各ブロック又はパッドに結合され、これらの棒は、丁度垂直棒のように上部押出台を通っている。
【００４１】
第１及び第２の枠組が隅の区域に配置された４個の棒で支持されているのは、単に枠組と生成物充填の実際の重量に耐える必要があるためであり、圧縮圧力が上部台の能動面に取り付けられ全て同一高さで第１及び第２枠組の各々に面している幾つかの押出しパッドを介して与えられることを前提としている。また、これらの押出しパッドは、パネル又はガラス板用空洞を形成する部分又はパッドに対応して存在する。上部押出台が枠組とパッドに直接接触する代わりに、押出しパッドは、その下に空間を形成するように位置し、散在する残留物の清掃・除去を可能としている。
【００４２】
圧縮開始時に上部押出台が上昇されるとき、最初に上昇するのは第１枠組、より正確には複合型が含む複数の第１枠組（生産最適化のためには８個）であり、単一の又は複数の第２枠組と同一面となり、このとき対応する押出しパッドが第２矩形枠組と接触し、その結果、それらは同時に上昇する。この段差形成の小行程の間に、複合型の開口部の各々において、扉芯の周辺区域の圧縮ないし加圧が起こり、所望の高密度が得られる。当然ながら、圧縮過程では、型への充填に使用される計量装置が取り除かれ、型がプレス機の加熱板で覆われたままとなることが必要である。
【００４３】
パネル又はガラス板用空洞を形成するパッドは、上部位置で型の入口と同一面上に保持され、他のものは、伸縮式ユニットの第２ないし内部の矩形枠組に常時随伴する。
【００４４】
型の固定部と第１及び第２枠組の昇降構造の双方に関して或る改良が考えられており、これは種々の厚さの扉芯に応じて変位行程を変えるために単純化されている。
【００４５】
まず挙げられることは、数個のユニットを同一の加圧周期で生産する矩形枠組が、標準的扉芯製造用に固定されるのではなく、各独立ユニット周辺の固定外側部と、ユニット内で伸縮式に変位できる他の可動内側部との２つの部分に分けられ、標準的扉芯生産用に外側周辺部に対して同一面を保つ上部位置と、プレス機へより大量の材料を受け入れるために第１矩形枠組と同程度下降することによって長さと幅に関してより大きな寸法の扉芯を製造する他の下部位置との２つの位置を占められることである。
【００４６】
更に、各独立ユニットの外側固定周辺部は、幅で３分の１大きい扉芯を製造するために、内側可動部より大きいか又は等しい程度に下降できる分離した可動金属片を有する長さ方向壁を持ち、またプレス機へより多くの材料充填を受け入れる。この後者の扉は、病院の通路扉として広く使用されている。
【００４７】
可動金属片と内部周辺部の双方は、個々の枠組の交差部材で支持される垂直棒で更に支持され、種々の型のユニットに対して独立し、サンドイッチを形成する生成物計量装置の位置に応じた生成物充填に関連する独立動作のために、幾つかの第１流体シリンダと幾つかの第２流体シリンダで補助される。
【００４８】
金属片及び可動内側周辺部は、単に自動化計算機制御ユニットからの指令に応じて補助流体シリンダの伸張又は収縮を所望程度行わせることにより、特大扉芯形成用生成物の大量充填を受け入れるために第１及び第２枠組の最低位置で順に段差のある位置を取ることができる。受け入れ動作（下降）は、更に後に見るように、計量装置の進行の間に逐次行われるが、これは一方側への変位でサンドイッチの２つの層用の生成物が放出されるためである。計量装置が位置する可動枠組がプレス機から出ると、その後加圧が行われ、他方側へ戻り、扉芯を型から外すためにプレス機の上部板が上昇しその下部シリンダが伸張すると、扉芯の除去が同時に行われる。
【００４９】
この復帰行程の間、先に述べたのと同様に型が逐次充填され、その後新たな周期の扉芯の加圧と引き出しに進む。
【００５０】
本発明の目的を構成する前掲の改良の他のものは、標準的扉芯生産用にこれを行う先の形態の第１及び第２の枠組の昇降機構、又は幅と高さが特大の扉を生産する場合に周辺枠組の可動部と共に動作するものを単純化することから成り、行程が極めて正確に自動制御で動作される流体シリンダで十分なように設備が設けられるため、横方向変位可能な枠組の傾斜部により駆動される車輪付きの可動枠組が存在する必要はない。
【００５１】
本発明で考慮されている他の改良は、進行動作の実行（プレス機における型の全ユニットの充填）をする計量装置の新規な構造であり、その後プレス機外部で停止して加圧が起こるようにすること、型の同時充填と共に他の側へ戻ること、この側で停止して加圧が起こるようにすること等が継続して行われる。
【００５２】
計量装置は、サンドイッチの中央層を構成する生成物を有する大きな中央ホッパと、その外層用生成物を含む他の小さな２つの側部ホッパとを含む。
【００５３】
ホッパの底部には、プログラムされた順序に従って型に充填する木材と接着剤の複合体を載置する幾つかの羽根付き回転ローラが存在する。中央ホッパは型に放出する生成物を側部ホッパより遙かに大量に有するので、底部は、３個の羽根ローラがある中央に向かって進む２つのコンベアベルトで占められている。また、生成物を動かし型内の均一分布に役立つようにするこれらの側部コンベアベルトの進行動作の横方向には２つのコンベアが存在する。
【００５４】
計量装置の搬送枠組の前部と後部には、幾つかの二重清掃ローラがある。図面に関連して後に見るように、その内部のものは、型に注がれた層の掃引と平滑化をより良く行うために斜めに配置されている。
【００５５】
本発明の特徴の理解を容易にし、この詳細な説明と不可分の一部を形成するために、数葉の図面が添付されているが、これは、例示のためであって限定するものではなく、以下の事項を示している。
【図面の簡単な説明】
【００５６】
【図１】本発明の目的を達成するシステムを用いた生産設備の概略図である。
【図２】図１の設備に用いられるものと同じプレス機の側面図である。
【図３】幾つかの扉の芯を単一動作で同時に生産する型の立断面図であり、伸縮式矩形枠組に結合した下部台と共に、型に装填できるようにするための上昇位置にあるプレス機上部加熱板を含み、また、図４の切断線Ａ−Ａに沿った切断面に対応する。
【図４】板又はガラス板の取り付け用で異なる大きさの２つの空洞を有する数個の扉芯を同時生産する型の部分平面図であり、図３に対応する。
【図５】２台の成形機から来る加圧用の生成物を型に充填する動作系列を示し、最終位置（ｄ）では加圧を可能とするために型を閉じる加熱板を含んでいる。
【図６】型の平面図であり、例示として本発明の型で形成される個々の扉芯から製造される扉の種々の形を位置ａ、ｂ、ｃ、ｄ、ｅ及びｆに示す。
【図７】図６の位置ｃ、ｄ、ｅ及びｆに対応する種々の扉芯の平面図である。
【図８】本発明の扉芯を製造する型の部分平面図であり、対応して形状が示されている扉芯の生産に備えるものである。
【図９】図８のＢ−Ｂ線に沿った断面図である。
【図１０】型に充填し、扉芯の最終厚さが得られるまで生産物を加圧するための４局面ａ）、ｂ）、ｃ）及びｄ）の動作系列である。
【図１１】本発明の型の立面図であり、例示として３個の中実扉芯が同時に形成され、門形プレス機の下方に位置しており、その右側には修理又は保守のためにプレス機から型を引き出した位置が示されている。
【図１２】図１１の実際の型の拡大図である。
【図１３】上部押出台と第１及び第２矩形枠組用の押出しパッド分布との平面図であり、パネル又はガラス板取り付け用の空洞形成を可能とするパッド又はブロックを伴っている。
【図１４】図１３の細部「Ｃ」の拡大図である。
【図１５】門形プレス機の下方に位置する、図１１と同じ型の側面図である。
【図１６】図１５の実際の型の拡大図である。
【図１７】本発明の目的を構成する幾つかの改良を含む扉芯生産用の型を有する門形プレス機の側断面図であり、この場合は標準的扉芯より高さと幅が大きい中実扉芯を得るために用意されている。
【図１８】図１７と同じ型の立断面図であり、図１７のＤ−Ｄ断面に対応し、４個の扉芯の同時製造という特定の場合用である。
【図１９】図１８に示されたものの平断面図であり、図１８のＥ−Ｅ切断線に沿った断面に対応する。
【図２０】図１８と同じ型の平面図である。
【図２１】型ユニットの全可動部、換言すれば各独立ユニットの外側固定周辺部の輪郭に対する全内部要素の平面図である。
【図２２】４ユニット用の型の、その固定部の側断面図である。
【図２３】図２２と同じ型の立断面図である。
【図２４】加熱冷却システムをみるための、前記型の立断面図である。
【図２５】図１８に示されたものに類似しているが、本発明の第３実施形態で単純化された型の内部構造を有する、換言すれば、流体シリンダのみを用いているために上昇下降用の傾斜部を持つ可動枠組を含まない立断面図である。
【図２６】図５のものに類似しているが、前図と同様に傾斜部を持つ可動枠組を除去した、側断面図である。
【図２７】型充填用計量装置のキャリア枠組の立断面図であり、これは図２５に見られるようにその上部に沿って摺動する。
【図２８】図１７に示されたものの下面図である。
【図２９】図２７に示されたものの平面図である。
【図３０】図２９に示されたものの側面図である。
【発明を実施するための形態】
【００５７】
好適な実施形態の説明
図１ないし５、特に図１に関連して使用した番号を参照すると、本発明が提案する扉芯製造用の型は、２つの成形機１及び２の使用から始まり、そこでは木材と接着剤の複合体が２つの密度と粒子径でユリアホルムアルデヒド接着剤と混合されており、成形機１では扉芯用板のサンドイッチの外層を占める高密度要素があり、成形機２では板の中心部に残る低密度要素がある。
【００５８】
成形機１及び２は固定位置にあり、各計量装置３及び４の装填は、これらが作業台５上を進むことができるので、これを変位させて行う。計量装置３及び４の双方は、線形に連結され、充填を行う型の上のプレス機６内に位置することができ、この充填は、最初は計量装置３が供給する生成物の一部でされ、次に計量装置４の内容物を受け取り、最後に計量装置３の生成物の残部が型に放出され、これによってサンドイッチを形成するが、この運動は型の可動基部の計画的な下降と組み合わされる。
【００５９】
プレス機６は、計量装置３及び４から生成物を逐次受け取る型９を閉鎖し、流体シリンダ８で垂直移動できる上部加熱板７を含む。
【００６０】
図２では、図１のように型２と分離した上部加熱板７を有するプレス機６の側面図を見ることができる。
【００６１】
型９は、図３で立面図が、図４で平面図が概略的に示されている。周辺枠組１０は、固定され、型９の壁を決定している（図４参照）。その周辺内部で摺動するのは、第１矩形枠組１１であり、その輪郭に正確に従い、プランジャのようにその中で摺動する。形成する扉（部分平面図の図４に少なくとも３個示されている。）とは同一面であり、形成する扉芯と同数の開口部を有する面である。２つの隣接する扉の結合線は、点線１３で示されており、その後、単一プレスで形成された異なる扉の芯を最終工程で分離するための板材切断線となる。
【００６２】
開口部１２で摺動するのは各第２矩形枠組１４であり、示された実施例では種々の大きさであるが、パネルやガラス板の取り付けのための空洞１５及び１６を持っている。
【００６３】
第１矩形枠組１１は、桁１７、端部交差部材１８（図４では左側部分が示されている。）及び中央交差部材１９で規定され、後者は、以下に示すように、２つの連続扉芯を規定する細片が周辺区域と等しく圧縮されるよう、２倍の大きさとなっている。
【００６４】
可動枠組１１のこれらの部分全ては、図３で明瞭に示されている。
【００６５】
第２枠組１４の各々は、横方向に平行で第１矩形枠組１１の参照符号１８及び１９の部分と摺動する部分を持ち、この場合番号２０が付与されている。
【００６６】
参照符号２１及び２２は、パネルやガラス板の取り付けのための空洞１５及び１６に位置する固定ブロックを示している。
【００６７】
矩形枠組１１は、下部の台２３と一体化している。
【００６８】
この装置を用い、この生成物製造における異なる局面を順次示す図５を特に参照すると、型の充填と最終的な加圧は、次のように実行される。
【００６９】
第１成形機１から供給される生成物は、測定・秤量されるよう計量装置３に、また、そこから型９に送られ、この時矩形枠組１１と１４は、同一面上にあり（それぞれの部分１８と２０だけが図５の異なる位置又は局面に示されている。）、周辺枠組１０の端に対して引き下げられる。
【００７０】
図１の拡大詳細図では、歯車型計量装置の構造が示されており、これは計量装置１に含まれる生成物の半分が型に放出されるため、極めて正確である。型に注がれる第１層は、サンドイッチの下層に相当し、位置ａ）で２４と参照符号が付されている。
【００７１】
その後、計量装置３は、計量装置４と連続して一体化した状態で、図１の右へ横方向に移動し、型９に放出する位置を占める。この移動においては、型の掃引又は平滑化が同時に行われ、下層２４が均一となり、型の表面が清浄となる。
【００７２】
次に、一旦矩形枠組１１と１４の双方が下がってこの図５の位置ｂ）（この図では、枠の横断面だけが示され、それぞれ参照符号１８と２０に対応する。）を占めると、第２計量装置４で厚みのある生成物ないしサンドイッチの中央層の全量放出が起こる。これは、流体シリンダーを所定程度操作することにより行われ、下方の台２３上に位置する伸縮式矩形枠組１４の移動を引き起こす。この装填時にジグザグ状であることと部分１８に対応する矩形枠組が矩形枠組１４の部分２０よりも大きく移動することにより、型の周辺により多量の生成物が与えられる。このように分配された中間層は、参照符号２５が付されている。
【００７３】
次に、型９上に再度位置するために第１計量装置３の復帰が起こり、同時にその掃引又は平滑化が実行され、サンドイッチの残りの外層の厚さに対応する下降度で伸縮式矩形枠組１１と１４（それぞれ部分１８と２０）の同時下降が起こり、このより微細な生成物は、図５の位置ｃ）で参照符号２６を付された層へ型が充填されるまで放出される。明確に示されているように、中央層２５は、意図的に右側部より左側部が厚くされ、圧縮の最後には周辺部の密度が中央部の密度よりも大きくなる。パネルやガラス板の取り付けのための空洞１５及び１６の周囲は、このパネルやガラス板を取り付けるための型が位置する所であるので、密度を大きくする必要はない。
【００７４】
型９が充填されると計量装置３と４は型９外部の原位置に復帰し、上方の加熱板７が下降し接触することが可能となり、これは図５の位置ｄ）に対応する。
【００７５】
最後に、下方の台２３が扉芯の最終的厚さに対応する高さまで上昇し、２個の矩形枠組１１と１４は同一面となり、図５の位置ｄ）を占めるまでこのように上昇し続ける。
【００７６】
図５を見れば分かるように、硬化時間が経過すると上方加熱板７が上昇し、下方台２３が上昇を続けるので、型の剥離が行われる。加圧された板が型から出ると、新たな周期を開始するために取り去られる。
【００７７】
図５の位置ｄ）では、サンドイッチ中間層２５の周辺部は参照符号２７が付され、所望程度に多量の生成物が与えられ一層圧縮されている。
【００７８】
ここで図６から１６を参照すると、本発明の他の実施形態による扉芯生産用型の或る改良を見ることができる。図６に示されているように、中実部２８ａ（位置ａ）と１以上のパネルやガラス板の取り付けのための空洞の双方を有し、これらの空洞の位置、数、配置の全て又はいずれかに応じて構造体の或る要素を迅速に作動させるだけで扉芯の製造が可能となる。位置ｂ）に示されているのは、唯一の矩形空洞２９ａを有する扉２８ｂである。位置ｃ）に示されているのは、線状又は弓状の小割り板又は成型品３０がある２つの空洞２９、２９ｃを有する扉２８ｃであり、線状部品は参照符号３０ａ、弓状のものは３０ｂで識別されている。位置ｄ）では、３個の空洞２９ｃを有する扉２８ｄが直線状成形品３０ａを曲線状のものと組み合わせており、位置ｅ）では、扉２８ｅが３個の空洞２９ｃを直線状成形品３０ａと共に持っている。最後に、位置ｆ）では、扉２８ｆが４個の空洞２９ｄを持っており、下部のものは他のものより高さが高くなっている。これらの要素の指定を容易化するために、扉、空洞及び小割り板は、幾何学的に異なる場合でも、それぞれ一般的な参照符号２８（扉）、２９（空洞）及び３０（成形品）を付されている。
【００７９】
図７は、図６（位置ｃ、ｄ、ｅ及びｆ）と同じ扉に対応する種々の扉芯を示し、これは単に積層され、縁取りされ直線状又は曲線状の小割り板３０を取り付けられ、それぞれ３１ｃ、３１ｄ、３１ｅ及び３１ｆの参照符号が付され、これらを総称して３１で示している。
【００８０】
例えば扉芯３１ｄと扉芯３１ｅは、最初のものを水平方向の境界で機械加工し曲線状の小割り板を装着しなければならないため、高さに関して種々の寸法の空洞を有していることが分かる。
【００８１】
図６の扉２８ａは、この図７に表されていない扉芯３１ａに対応し、これを中実といい、換言すればパネルやガラス板の取り付けのための空洞を有しない。
【００８２】
図８と９は、一部平面図で、本発明の第２実施形態に対応する扉芯を生産する型を示しており、この場合３個の扉芯３１を同時製造するための型の口部を規定し固定された頑丈な枠３２で規定されており、製造する「扉芯」３１の輪郭と大きさを持つ３個の対応開口部３３を持つ（ここに示されこの型で製造し得るもの全ては、その輪郭が同一の標準寸法を持つ）。
【００８３】
これらの開口部３３に取り付けられるのは、伸縮ユニットのそれぞれの第１独立矩形枠組３４ないし外側枠組３４であり、これは内側矩形枠組ないし第２矩形枠組３５と共に形成されており、双方は、主として図１０に関連して以下に詳細に示すように、生成品の充填と加圧の或る局面で独立して異なる移動を行う。
【００８４】
第２矩形枠組３５の内面は、一連の横方向のパッド又はブロックで占められ、或るものは小さく（参照符号３６）、他のものは参照符号３７で中間の大きさであり、他の１つは参照符号３８で他のものより大きい。
【００８５】
これらのパッド３６、３７及び３８は、これらに比例した寸法の各流体シリンダ３９、４０及び４１で作動され、その全ては、開口部３３の中央線に沿う横棒４２上にある。図８ではこれらのシリンダ棒が示され、これは個々のパッド基部の凹部４３に結合されている（図１２）。
【００８６】
図１０では扉芯製造の種々の局面、型の充填と最終加圧が逐次的に示されており、これは以下のように実行される。
【００８７】
第１成形機から供給される生成物は、測定・秤量されるよう計量装置に、また、そこから型に送られ、この時矩形枠組３４と３５は、周辺枠組３２の境界又は型の充填口に対して同一面上にある。
【００８８】
放出には歯車型計量装置が使用され、これは第１計量装置に含まれる生成物の半分が型に放出されるため、極めて正確である。型に注がれるこの層は、サンドイッチの下層に相当し、位置ａ）で４４と参照符号が付されている。
【００８９】
次に、第１計量装置の横方向移動が第２装置（隣接位置に取り付けられている。）を型上方の放出位置に残したままで行われる。この移動においては、型の掃引又は平滑化が同時に行われ、下層４４が均一となり、型の表面が清浄となる。その後、一旦矩形枠組３４と３５の双方が下がってこの図１０の位置ｂ）（この図では、矩形枠組の横断面だけが示されている。）を占めると、第２計量装置４で厚みのある生成物ないしサンドイッチの中央層の全量放出が起こる。これは、流体シリンダーを所定程度まで操作することにより行われ、後に見るように下部に位置する伸縮式矩形枠組の下方への移動を引き起こす。この装填位置がジグザグ状であることと第１矩形枠組３４が第２矩形枠組３５よりも大きく移動することにより、型の周辺により多量の生成物が与えられる。この説明のように分配された中間層は、図１０で参照符号４５が付されている。
【００９０】
次に、型上に再度位置するために第１計量装置の復帰が起こり、同時にその掃引又は平滑化が実行され、サンドイッチの残りの外層が与えられる下降により、伸縮式矩形枠組３４と３５双方の同時下降が起こり、このより微細な生成物は、図１０の位置ｃ）で参照符号４６を付された上層へ型が充填されるまで放出される。明確に示されているように、中間層４５は、意図的に右側部より左側部が厚くされ、圧縮の最後（位置ｄ）には周辺部の密度が中央部よりも大きくなる。固定枠３２に対する横方向の圧縮は、芯周縁の密度がより大きくなることを意味する。パネルやガラス板の取り付けのための空洞の周囲は、これらのパネルやガラス板を取り付けるための型が位置する所であるので、密度を大きくする必要はない。
【００９１】
圧縮に先立ち、計量装置は型外部の原位置へ復帰し、図１０の位置ｄ）で示されるように、プレス機の加熱板４７（図１１に最もよく示されている。）が接触するまで下降することを可能とする。圧縮開始時、段差のある２つの矩形枠組３４と３５は相互に同一面となり、扉芯の最終厚さに対応する高さまで、図１０の位置ｄ）を占めるように上昇し続ける。硬化時間が経過すると、上方加熱板４７が引き上げられ、下方シリンダが流体的に伸張し続けるので、型の剥離が行われる。加圧された板が型から出ると、新たな周期を開始するために取り去られる。
【００９２】
図１０の位置ｄ）では、参照符号４８が付されているのは、サンドイッチ中間層４５の周辺区域であり、大量の生成物を受け、より小型にされている。
【００９３】
図１１及び１５、また図１２及び１６のより拡大した図では、パッド３６、３７及び３８がどのように第２枠組３５と同一面となり協働して移動されるかが見たとおり分かる。この場合、中実扉芯２８は、計量装置から落下する生成物が図１２の型（３つの開口部３３の中）の全面に充填され、形成される。
【００９４】
枠組の支持構造体とその移動は、以下の構成を示している。
【００９５】
開口部３３又は生成物充填口を有する固定枠３２は、周囲壁４９で支持されている。各開口部の第１矩形枠組３４は、幾つかの垂直棒５０上にあり、第２枠組は、多量の充填を可能化する段差を維持するためにより長くなっている幾つかの垂直棒５１上にある。この段差の高さは、有利には、より多数の又はより少数の調整材を垂直棒の基部に挿入することにより変更できる。次に、垂直棒の全ては、変位可能な枠組５５の頂部に取り付けられた傾斜部５４の傾斜面上を進むことができる車輪５３の枠組５２上にあり、これが可能であるのは車輪５６上で支持されていることによる。これらの車輪５６は、固定枠３２用支持具の縦壁４９に固定された支持具５７上に取り付けられている（図１６参照）。
【００９６】
図１２では、傾斜部５４を有する変位可能枠組５５と一体のラック５９に係合するピニオンが参照符号５８で示されている。原動機６０が回転されると（図６の右側部参照）、可動枠組５２の車輪５３が傾斜部５４により移動し、枠５２が上昇する。このようにして矩形枠組３４及び３５並びに可動パッド３６又はパネル若しくはガラス板用の空洞の位置を占めていないものに関する高さの相違の事前調整が行われ、これは種々の標準的寸法で生産される扉芯２８の最終厚さ調整手段を規定している。
【００９７】
傾斜部５４の位置が固定されると、これらはプレス機の流体シリンダ６１で駆動され、生成物充填のために下降し、圧縮のために上昇する。シリンダ６１は、柱６３につながる下部金属片６２に作用し、これによって、第１枠組及び第２枠組に直接作用する押出しパッド６５と６６の担体である上部台６４を押す。したがって、空洞が清掃を正しく行うために下方に形成されている。
【００９８】
この上部台６４には棒５０と５１の全てを通すための穴６７と６８があり、この棒は、第１ないし外側矩形枠組３４と第２ないし内側矩形枠組３５をそれぞれ支持している。垂直棒５０は、隅に位置しているが、これは、単に、枠組とその上に注がれる木材粒子及び接着剤の複合体から成る生成物との実際の重量を支持しなければならないためである。各第２矩形枠組３５用の垂直支持棒５１も、同じ理由で隅に位置している。
【００９９】
空洞形成のためにパッド（３６、３７、３８）を持ち上げる小流体シリンダ３９、４０及び４１も、上部台６４に対応して設けられた開口を通る。
【０１００】
全シリンダ３９、４０及び４１を支持する横方向金属片４２は、地面に支持される水平筒状棒７０から延びる他の柱６９上にある。
【０１０１】
第１及び第２の矩形枠組３４及び３５が棒５０及び５１で支持されるように、パネル又はガラス板用の空洞（図１５では中実扉が形成されるため空洞は存在しない。）を形成する全てのパッド３６、３７及び３８は、全ての棒５０及び５１がパッドとその上にある前述充填物の実際の重量を支えているように、上部押出台６４の開口部を通り下方で車輪５３の同じ枠組５２上にある棒の対７１又は二重対７２（大きさによる）で支持されているが、これは、圧縮力が押出しパッド６５（第１矩形枠組３４用）、押出しパッド６６（第２矩形枠組３５用）及び大きさに応じて単一でも二重でもよい押出しパッド７３によってのみ生じるからであり、これらの分布は、図１３及び１４でパネル又はガラス板用の空洞を形成するパッド３６、３７及び３８に関して示されている。
【０１０２】
参照符号７４はレールを示しており、この上で型ユニットが、固定枠３２支持用縦方向壁４９に固定された支持具７６に取り付けた車輪７５で支持されている。保守又は修理作業が必要なとき、ユニット全体を下部昇降シリンダ６１と共に少し持ち上げて車輪を取付け、ユニットをレール７４から外す。型がプレス機における元の位置へ復帰すると、この車輪７５が外される。
【０１０３】
第１及び第２の枠組３４及び３５は、パネル又はガラス板用の空洞を形成するパッド３６、３７及び３８と共に、プレス機の上部加熱板４７のような加熱システムを持つが、これは下部加熱板がそれらで実現されているからである。
【０１０４】
ここで図１７ないし３０を参照すると、扉芯が標準的大きさで生産でき、また、他の特殊な大きさ、長さ及び幅が大きいもの、前述のものより幅が大きい他の特大扉の扉芯も生産できることが分かる。
【０１０５】
このパッド３６、３７及び３８は、開口部３３の中央線を通る固定横棒で支持され、図１７ないし３０の場合には下部板４２（図１８）上にある流体シリンダ３９、４０及び４１でそれぞれ作動される。
【０１０６】
各開口部３３の第１矩形枠組３４は垂直棒５０上にあり、第２枠組３５はより長い垂直棒５１で支持され、充填量をより大きくできる段差を維持している。先の実施形態（図６ないし１６）で検討したように垂直棒の基部に多数の又は少数の調整材を挿入して段差の高さを変更することに代えて、ここでは、以下に示すように、高さの差を流体シリンダの伸縮の制御によってのみ達成し、これは計算機で完全に正確に行われる。
【０１０７】
また、図１８では、変位可能枠組５５に取り付けられた外部ラック５９に係合するピニオン５８が示されている。図１９では、２個のラック５９が備えられ、安定性と機能性を増すために各側に１個ずつあり、それぞれのピニオン５８が駆動原動機６０の出力軸に挿入されて係合することが示されている。この原動機が回転すると、可動枠５２の車輪５３が傾斜部５４によって移動され、枠組５２が上昇する。
【０１０８】
下部横方向金属片４２上にあるのは、この場合全て同じであって対で分布しているシリンダ３９、４０及び４１であり、これは、図１７に示されているように、持ち上げるブロックが大きいときに２対で持ち上げるからである。参照符号３９は小パッドないし横方向部分に対応するシリンダであり、４０は中間パッドであり、４１は大パッド支持に用いられるシリンダである。他の手法は、すぐに分かるように、一対のシリンダ４０を用い、押出し棒を真っ直ぐとすることである。
【０１０９】
シリンダ３９、４０及び４１は、同時動作する４ユニットに共通な金属片又は筒状棒７０に直接作用する。これらの金属片７０に固定されているのは、上部押出台６４の開口部をも通り図１７の場合では棒５０や５１と同じ車輪５３の枠組５２の下方に載置される棒７１の対又は二重対７２（大きさによる）に対する幾つかの締め付け用小板６９’である。
【０１１０】
そこでこの構造から出発し、本発明は、固定枠３２又は型壁と呼んできたものの或る改良について考察するものであり、標準的扉を得ること（好適な実施形態の箇所でこれまで説明してきた構成要素で達成されるもの）、また、より大きなものに関しては、幅が大きく前述の病院用通路扉に使用されるものと同様、長さ及び幅の寸法が大きい他の扉をも得ることを可能とする。
【０１１１】
これを達成するために、前記固定枠３２（その断面が図９及び１０に正方形で概略的に示されている。）は、本明細書の冒頭で述べたように、固定周辺部７７で形成され、又はこれを含み、他の内側可動部７８も周辺にあるようにされている。
【０１１２】
これらの要素７７及び７８は、図２０の平面図と図１７及び１８の立面図で示されている。
【０１１３】
参照符号７９は、各独立ユニットの縦壁と背中合わせになり、また、前述し以下にも示すように、特大扉製造の特殊な場合に下降できる金属片を示す。
【０１１４】
図１８には金属片７９の側面が示され（型のユニットの各側部に１つ）、図１７にはその奥部が示されている。双方は、第１流体シリンダ８１の対で作動される第１垂直棒８０に結合される（図２５参照）。
【０１１５】
更に、可動周辺内側部分７８は、第２流体シリンダ８３により上下動される第２垂直棒８２の幾つかに結合されている。
【０１１６】
また、本発明は、第１及び第２の枠組（それぞれ参照符号３４及び３５）が、金属片７９に使用されるもののような高精度流体シリンダ８４及び８５と、所望の正確な高さ調整のため同様に計算機によって制御される可動周辺部７８とを用いて作動されるようにしている。このように、シリンダの正確な伸縮を適切な時期に指令する数値制御によって同時位置決めが達成されるため、可動枠組５２が枠組５５の傾斜部５４で作動される車輪５３を有する必要はなく、これにより構造が顕著に簡単化される。
【０１１７】
更に、空洞が有る場合にパネル又はガラス板用の空洞を形成するパッド又は横方向部分３６、３７及び３８を上昇させる流体シリンダ３９、４０及び４１は、昇降流体シリンダ３９が取り付けられる（その全ては等しく、金属片７９と可動周辺部７８を支配するシリンダ８１及び８３と同じ面で支持される。）支持具８７のＴ形の横部材８６で支持される棒７１の対又は二重対７２によって維持されており、第１及び第２の枠組３４及び３５用の昇降棒５０、５１も同様である。
【０１１８】
特大扉芯の製造では、プレス機下部シリンダによる押出しは、内側周辺部７８方向と金属片７９方向の双方又は一方へ第１及び第２の枠組を押圧する押出しパッド６５及び６６より高さの低い参照符号６５’及び６６’の他の押出しパッドが設けられている上部台６４を介して伝えられるが、これは後者が前者（金属片７９及び内側周辺部７８）より高さが低いためである。
【０１１９】
更に、型に充填するために、図２７ないし３０の構造の計量装置が使用され、大きな中央ホッパ８８と他の２つの側部ホッパ８９で規定されており、それぞれサンドイッチの中央層材料、外側部分が充填され、組立品全体は、型（図２６）の全ユニットの縦方向上部の軌道９２上で回転する車輪９１を有する摺動枠組ないし外被９０に搭載されている。
【０１２０】
ホッパ８８及び８９内の生成物は、羽根を有する回転ローラ９３により型に放出され、中央ホッパ８８にはそれが３個、側部ホッパには１個存在する。中央ホッパ８８は、加圧する材料を羽根ローラ９３へ導く２つのコンベア棚板９４を持つ。材料は分配され、また、コンベアベルト９４の進行の横方向に動く２個の羽根コンベア９５（図３０参照）により塊形成が防止される。参照符号９６は、ホッパ８８及び８９の出口へ生成物を流すための、又は案内するための幾つかのそらせ板を示す。
【０１２１】
図２７に良く示されているように、計量装置の摺動枠組９０は、その前端部と後端部に２つの清掃ローラ９７及び９８を含んでいる。内側の清掃ローラ９８は、型に注がれる層の掃引と平滑化をよりよく行うために傾斜して配置されている。外側の清掃ローラ９７は、より長く、プレス機の上部加熱板４７と接触する水平面を掃引し、好ましからざる皮殻の形成を防止する。
【０１２２】
摺動枠組９０は、加圧し、プレス機の下部シリンダ６１の作用で型の口部より高く上がった後、扉芯２８を引き出す押圧部材９９を含む。この引き出しと同時に、別の型ユニットは、以下で更に説明するが、生成物の流入を支配するシリンダの作用と結合して一連の動作で充填される。
【０１２３】
図２５を参照し、計量ホッパ８８及び８９を有する摺動枠組９０が左側にある（型内に進入していない）と仮定すると、この場合４個の扉芯の加圧が完了し上部板４７がプレス機から外されたとき、プレス機の下部シリンダ６１を上昇させることにより型の除去が行われる。このとき、台車ないし枠組９０が右方向へ進行すると、扉芯２８は右側の押圧部材９９で外される。同時に、複合型の第１ユニット上にあるホッパ８９でサンドイッチの下層用生成物の放出が行われる。次に、このユニットは、第２ユニットが下層で充填される間に枠組と金属片（場合によって）がサンドイッチの中間層を受け入れるために下降し、ホッパ８８の材料が充填される。この進展における次の局面では、シリンダが下降し、型の第１ユニット上層は、台車または枠組９０の左側のホッパ８９から生成物が充填され、第２及び第３ユニットは、中間層が充填され、第４ユニットは、第１ホッパ８９からサンドイッチ下層の材料が装填される。このようにして、全てのユニットが右側まで正しく充填される。摺動枠組９０が型から出てその右側に位置すると、プレス機の上部加熱板が下降し、加圧が行われる。台車の帰路工程では（能動工程であるので上記の通りではない。）、型の異なるユニットが上記と同様に、しかし逆順で充填され、加圧された板は同時に外され、以後は同様となる。
【０１２４】
図２１及び２４を参照すると、これらに表現されているのが金属片７９、内側可動周辺部７８、第１及び第２の枠組３４及び３５並びにパッド又は横方向部分（３６、３７、３８）用で、複合木材粒子と混合された接着剤を溶解可能とするための加熱回路であることが分かる。昇降動作のため、アクセス管１００は剛性で垂直であり、押出台６４の開口部１０１を楽に通ることができ、柔軟部分１０２に延びる。参照符号１０３を付したような他の管は、また、パネル又はガラス板用の空洞形成のための横方向部分又はパッド（３６、３７、３８）への蒸気又は熱風による加熱システムに対応する。
【０１２５】
矩形枠３２の外側固定周辺部７７は、閉じた枠組を規定するものであり、絶縁薄板１０４により支持用周囲壁４９から絶縁されている。
【０１２６】
型の修理又は清掃を行うことが必要な場合、さきの実施形態で考察したように、プレス機から外すために型全体を持ち上げ、幾つかの車輪を取り付けてレール７４に搭載するという手段が存在する。関係する例では、図２６から分かるように、下部の棒１０７に結合して支持具１０６を持ち上げる幾つかの下部歯止め１０５が設けられており、プレス機の下部シリンダ６１を大きく持ち上げて接触させる。
【図１】
2009537712.tif 000003
【図２】
2009537712.tif 000004
【図３】
2009537712.tif 000005
【図４】
2009537712.tif 000006
【図５ａ）】
2009537712.tif 000007
【図５ｂ）】
2009537712.tif 000008
【図５ｃ）】
2009537712.tif 000009
【図５ｄ）】
2009537712.tif 000010
【図６ａ）】
2009537712.tif 000011
【図６ｂ）】
2009537712.tif 000012
【図６ｃ）】
2009537712.tif 000013
【図６ｄ）】
2009537712.tif 000014
【図６ｅ）】
2009537712.tif 000015
【図６ｆ）】
2009537712.tif 000016
【図７】
2009537712.tif 000017
【図８】
2009537712.tif 000018
【図９】
2009537712.tif 000019
【図１０ａ）】
2009537712.tif 000020
【図１０ｂ）】
2009537712.tif 000021
【図１０ｃ）】
2009537712.tif 000022
【図１０ｄ）】
2009537712.tif 000023
【図１１】
2009537712.tif 000024
【図１２】
2009537712.tif 000025
【図１３】
2009537712.tif 000026
【図１４】
2009537712.tif 000027
【図１５】
2009537712.tif 000028
【図１６】
2009537712.tif 000029
【図１７】
2009537712.tif 000030
【図１８】
2009537712.tif 000031
【図１９】
2009537712.tif 000032
【図２０】
2009537712.tif 000033
【図２１】
2009537712.tif 000034
【図２２】
2009537712.tif 000035
【図２３】
2009537712.tif 000036
【図２４】
2009537712.tif 000037
【図２５】
2009537712.tif 000038
【図２６】
2009537712.tif 000039
【図２７】
2009537712.tif 000040
【図２８】
2009537712.tif 000041
【図２９】
2009537712.tif 000042
【図３０】
2009537712.tif 000043
【国際調査報告】
2009537712.tif 000044
2009537712.tif 000045
2009537712.tif 000046
2009537712.tif 000047
2009537712.tif 000048
2009537712.tif 000049